(57)【要約】【課題】使用者の待ち時間を短縮できるようにする。【解決手段】自動取引装置１の小切手入金部１４は、収納処理において、バンドル部４１から顧客に返却すべき取引不可能小切手がエスクロ部４６から全て繰り出されると、次処理可能通知を制御部７へ通知する。これにより小切手入金部１４では、エスクロ部４６に取引可能小切手が残っていたとしても、バンドル部４１から顧客に対する取引不可能小切手の返却や、該顧客による追加の小切手ＣＫの挿入を並行して行わせることができるので、該顧客の待ち時間を大幅に短縮することができる。【選択図】図５
2019133583.tif 000002
【特許請求の範囲】
【請求項１】
使用者から１枚以上の一群の媒体を受け取り、また当該媒体を前記使用者に引き渡す受渡部と、
前記媒体を搬送する搬送部と、
前記受渡部により前記使用者から受け取った前記媒体それぞれから情報を読み取る読取部と、
前記読取部により前記媒体から得られた前記情報を基に、当該媒体が取引可能であるか否かを判断する制御部と、
前記読取部により前記情報が読み取られた前記一群の媒体の全てを一時的に保留する一時保留部と、
前記一時保留部により保留されていた前記媒体のうち、前記制御部により取引可能と判断された取引可能媒体を収納する収納部と
を具え、
前記制御部は、前記一時保留部により保留されていた前記一群の媒体のうち、取引不可能と判断された取引不可能媒体を前記受渡部へ搬送して前記使用者に返却させるよう制御すると共に、前記取引不可能媒体を前記受渡部により前記使用者に返却するための処理を完了して次の一群の前記媒体に関する処理を行い得る次処理可能状態であれば、次の一群の前記媒体に関する処理を開始するよう制御する
ことを特徴とする媒体処理装置。
【請求項２】
前記制御部は、前記一時保留部により保留されていた前記一群の媒体のうち、全ての前記取引不可能媒体を前記受渡部へ搬送し終えた状態を前記次処理可能状態とし、当該次処理可能状態において、前記受渡部により前記使用者に前記取引不可能媒体を引き渡してから、当該受渡部により前記使用者から次の一群の前記媒体を受け取らせるよう制御する
ことを特徴とする請求項１に記載の媒体処理装置。
【請求項３】
前記制御部は、前記一時保留部により保留されていた前記一群の媒体のうち、全ての前記取引不可能媒体を前記受渡部へ搬送し、さらに当該受渡部により前記使用者に当該取引不可能媒体を引き渡した状態を前記次処理可能状態とし、当該次処理可能状態において、前記受渡部により前記使用者から次の一群の前記媒体を受け取らせるよう制御する
ことを特徴とする請求項１に記載の媒体処理装置。
【請求項４】
前記制御部は、前記一群の媒体の全てを取引可能と判断した場合に、当該一群の媒体の全てを前記一時保留部に保留し終えた状態を、前記次処理可能状態とし、当該次処理可能状態において、前記受渡部により前記使用者から次の一群の前記媒体を受け取らせるよう制御する
ことを特徴とする請求項１に記載の媒体処理装置。
【請求項５】
前記制御部は、前記次処理可能状態であれば、前記一群の媒体を投入した前記使用者に、次の一群の媒体を前記受渡部へ引き渡させる
ことを特徴とする請求項１に記載の媒体処理装置。
【請求項６】
前記制御部は、前記次処理可能状態であれば、前記一群の媒体を投入した前記使用者と異なる次の使用者に、次の一群の媒体を前記受渡部へ引き渡させる
ことを特徴とする請求項１に記載の媒体処理装置。
【請求項７】
前記受渡部は、前記一群の媒体に前記取引不可能媒体が２枚以上あった場合、複数の当該取引不可能媒体を集積してから前記使用者に引き渡す
ことを特徴とする請求項１に記載の媒体処理装置。
【請求項８】
媒体に関する処理を行う媒体処理部と、
前記媒体の取引に関する情報を表示すると共に使用者による操作を受け付ける表示操作部と
を具える自動取引装置であって、
前記媒体処理部は、
前記使用者から１枚以上の一群の媒体を受け取り、また当該媒体を前記使用者に引き渡す受渡部と、
前記媒体を搬送する搬送部と、
前記受渡部により前記使用者から受け取った前記媒体それぞれから情報を読み取る読取部と、
前記読取部により前記媒体から得られた前記情報を基に、当該媒体が取引可能であるか否かを判断する制御部と、
前記読取部により前記情報が読み取られた前記一群の媒体の全てを一時的に保留する一時保留部と、
前記一時保留部により保留されていた前記媒体のうち、前記制御部により取引可能と判断された取引可能媒体を収納する収納部と
を具え、
前記制御部は、前記一時保留部により保留されていた前記一群の媒体のうち、取引不可能と鑑別された取引不可能媒体を前記受渡部へ搬送して前記使用者に返却させるよう制御すると共に、前記取引不可能媒体を前記受渡部により前記使用者に返却するための処理を完了して次の一群の前記媒体に関する処理を行い得る次処理可能状態であれば、次の一群の前記媒体に関する処理を開始するよう制御する
ことを特徴とする自動取引装置。
【発明の詳細な説明】
【技術分野】
【０００１】
本発明は媒体処理装置及び自動取引装置に関し、例えば顧客との間で種々の取引処理を行う自動取引装置に組み込まれ、小切手に関する処理を行う小切手処理装置に適用して好適なものである。
【背景技術】
【０００２】
従来、小切手処理装置においては、金融機関等において顧客との間で媒体としての小切手による入金取引を行うものが普及している。この小切手処理装置としては、例えば長方形状の紙でなる小切手を顧客との間で受け渡す受渡部、該小切手を所定の搬送路に沿って搬送する搬送部、搬送される該小切手の内容を読み取る読取部、該小切手を一時的に保留する一時保留部、該小切手を収納する収納部、及び全体を制御する制御部等を有するものが提案されている（例えば、特許文献１参照）。
【０００３】
このような小切手処理装置では、例えば顧客との間で小切手の入金取引を行う場合、受渡部により顧客から１枚以上の小切手（以下これを一群の小切手と呼ぶ）を受け取ると、これを１枚ずつ搬送して読取部によって内容を読み取ってから一時保留部に順次保留する。次に小切手処理装置は、所定の表示操作部に読み取った内容等を表示し、顧客に各小切手を入金するか否かを確認する。
【０００４】
そのうえで小切手処理装置は、取引を行う指示を受け付けた小切手を一時保留部から収納部へ搬送して収納させる一方、取引を行わない指示を受け付けた小切手や読取部で内容を読み取り得なかった小切手を一時保留部から受渡部へ返送して顧客に返却する。この段階で小切手処理装置は、一群の小切手に関する一連の処理を完了する。その後、小切手処理装置は、当該顧客から追加の小切手を受け取り、或いは当該顧客との取引を完了して次の顧客から新たな小切手を受け取ることにより、次の一群の小切手に関する処理を行うことができる。
【先行技術文献】
【特許文献】
【０００５】
【特許文献１】米国特許第７８３２６３１号明細書（Ｆｉｇ．４２等）
【発明の概要】
【発明が解決しようとする課題】
【０００６】
しかしながら小切手処理装置では、小切手を顧客に返却する場合、返却すべき小切手を一時保留部から受渡部へ搬送し、該受渡部により該小切手を受け取らせる必要がある。このため小切手処理装置では、一群の小切手に関する一連の処理を完了し、この一群の小切手に関して受渡部を使用する可能性が完全に無くなってから、当該受渡部により次の一群の小切手を受け取るようにしていた。この結果、小切手処理装置では、次の一群の小切手に関する取引を開始したい顧客を、長時間に渡って待たせてしまう、という問題があった。
【０００７】
本発明は以上の点を考慮してなされたもので、使用者の待ち時間を短縮できる媒体処理装置及び自動取引装置を提案しようとするものである。
【課題を解決するための手段】
【０００８】
かかる課題を解決するため本発明の媒体処理装置においては、使用者から１枚以上の一群の媒体を受け取り、また当該媒体を使用者に引き渡す受渡部と、媒体を搬送する搬送部と、受渡部により使用者から受け取った媒体それぞれから情報を読み取る読取部と、読取部により媒体から得られた情報を基に、当該媒体が取引可能であるか否かを判断する制御部と、読取部により情報が読み取られた一群の媒体の全てを一時的に保留する一時保留部と、一時保留部により保留されていた媒体のうち、制御部により取引可能と判断された取引可能媒体を収納する収納部とを設け、制御部は、一時保留部により保留されていた一群の媒体のうち、取引不可能と判断された取引不可能媒体を受渡部へ搬送して使用者に返却させるよう制御すると共に、取引不可能媒体を受渡部により使用者に返却するための処理を完了して次の一群の媒体に関する処理を行い得る次処理可能状態であれば、次の一群の媒体に関する処理を開始するよう制御するようにした。
【０００９】
また本発明の自動取引装置においては、媒体に関する処理を行う媒体処理部と、媒体の取引に関する情報を表示すると共に使用者による操作を受け付ける表示操作部とを有する自動取引装置であって、媒体処理部は、使用者から１枚以上の一群の媒体を受け取り、また当該媒体を使用者に引き渡す受渡部と、媒体を搬送する搬送部と、受渡部により使用者から受け取った媒体それぞれから情報を読み取る読取部と、読取部により媒体から得られた情報を基に、当該媒体が取引可能であるか否かを判断する制御部と、読取部により情報が読み取られた一群の媒体の全てを一時的に保留する一時保留部と、一時保留部により保留されていた媒体のうち、制御部により取引可能と判断された取引可能媒体を収納する収納部とを設け、制御部は、一時保留部により保留されていた一群の媒体のうち、取引不可能と鑑別された取引不可能媒体を受渡部へ搬送して使用者に返却させるよう制御すると共に、取引不可能媒体を受渡部により使用者に返却するための処理を完了して次の一群の媒体に関する処理を行い得る次処理可能状態であれば、次の一群の媒体に関する処理を開始するよう制御するようにした。
【００１０】
本発明は、収納部に収納していた取引不可能媒体を使用者に返却するための処理を完了した段階で、次の一群の媒体に関する処理を開始できるので、前の一群の媒体を収納する処理が完了してから次の一群の媒体に関する処理を開始する場合と比較して、使用者の待ち時間を格段に短縮することができる。
【発明の効果】
【００１１】
本発明によれば、使用者の待ち時間を短縮できる媒体処理装置及び自動取引装置を実現できる。
【図面の簡単な説明】
【００１２】
【図１】自動取引装置の全体構成を示す略線的ブロック図である。
【図２】小切手入金部の全体構成を示す略線図である。
【図３】スキャナ部の構成を示す略線図である。
【図４】第１の実施の形態による小切手入金シーケンス（１）を示す略線図である。
【図５】第１の実施の形態による小切手入金シーケンス（２）を示す略線図である。
【図６】入金計数処理手順を示すフローチャートである。
【図７】搬送先リストの構成を示す略線図である。
【図８】収納処理手順を示すフローチャートである。
【図９】第２の実施の形態による小切手入金シーケンスの一部を示す略線図である。
【発明を実施するための形態】
【００１３】
以下、発明を実施するための形態（以下実施の形態とする）について、図面を用いて説明する。
【００１４】
［１．第１の実施の形態］
［１−１．自動取引装置の構成］
図１に示すように、第１の実施の形態による自動取引装置１は、例えば金融機関に設置されており、ネットワーク３を介してホストコンピュータ２と接続されている。この自動取引装置１は、ホストコンピュータ２との間で相互に情報をやりとりしながら、金融機関の顧客（以下使用者とも呼ぶ）との間で、現金や小切手に関する種々の取引処理を行うようになっている。
【００１５】
媒体取引装置としての自動取引装置１は、制御部７を中心に構成されている。制御部７は、図示しないＣＰＵ（Central Processing Unit）を中心に構成されており、図示しないＲＯＭ（Read Only Memory）やフラッシュメモリ等から所定のプログラムを読み出し、図示しないＲＡＭ（Random Access Memory）に展開して実行することにより、紙幣や小切手の取引に関する種々の処理を行う。この制御部７には、情報を記憶する記憶部８や、機能ごとに分けられた複数の機能部が接続されている。記憶部８は、例えばハードディスクドライブやフラッシュメモリ等でなり、各種プログラムや各種取引に関する種々の情報を記憶している。
【００１６】
制御部７に接続された機能部としては、表示操作部１１、カード処理部１２、紙幣入出金部１３、小切手入金部１４、硬貨入出金部１５、ジャーナル記録部１６、通帳処理部１７、明細票発行部１８及び係員操作部１９がある。
【００１７】
表示操作部１１は、例えば液晶パネル及びタッチセンサが組み合わされたタッチパネルでなり、制御部７の制御に基づいて種々の情報を表示して顧客に通知し、また該顧客の操作入力を受け付けて制御部７に通知する。カード処理部１２は、カード搬送部や磁気読取部等を有しており、顧客により挿入されたキャッシュカードから磁気情報等を読み取って制御部７に通知する。紙幣入出金部１３は、制御部７の制御に基づき、顧客との間で紙幣を受け渡す受渡処理、該紙幣の真偽や金種等を鑑別する鑑別処理、或いは該紙幣を所定の収納庫に収納し又は繰り出す収納処理のような、紙幣に関する種々の処理を行う。
【００１８】
媒体処理装置及び媒体処理部としての小切手入金部１４は、制御部７の制御に基づき、顧客に媒体としての小切手を投入させ、その内容を読み取って入金処理を行う（詳しくは後述する）。硬貨入出金部１５は、制御部７の制御に基づき、顧客との間で硬貨を受け渡す受渡処理、該硬貨の真偽や金種等を鑑別する鑑別処理、或いは該硬貨を所定の収納庫に収納し又は繰り出す収納処理のような、硬貨に関する種々の処理を行う。ジャーナル記録部１６は、各種取引の内容をジャーナルとして紙媒体や電子媒体等に記録する。
【００１９】
通帳処理部１７は、顧客により挿入された通帳から所定の磁気情報を読み取って該顧客の口座番号等を認識した上で、該通帳に対し取引の内容や口座の残高等を印字する。明細票発行部１８は、取引の内容を所定の用紙に印字して明細票を発行し、これを顧客に受け取らせる。係員操作部１９は、例えば自動取引装置１の後面や開閉する扉の内側等、一般の顧客が操作できないような箇所に設けられており、金融機関の職員や保守作業者等（以下これを係員と呼ぶ）により保守や点検等の作業が行われる場合に使用される。この係員操作部１９は、例えばタッチパネルや複数の操作キー等により構成されており、保守や点検等に関する種々の情報を表示し、また係員からの操作入力を受け付ける。
【００２０】
さらに制御部７では、接続された各機能部をそれぞれ制御するための上位プログラムがそれぞれ実行される。具体的に制御部７では、表示操作部上位プログラム２１、カード処理部上位プログラム２２、紙幣入出金部上位プログラム２３、小切手入金部上位プログラム２４、硬貨入出金部上位プログラム２５、ジャーナル記録部上位プログラム２６、通帳処理部上位プログラム２７、明細票発行部上位プログラム２８及び係員操作部上位プログラム２９が実行される。また制御部７では、各上位プログラムを統括的に制御する統括制御プログラム（図示せず）も実行される。
【００２１】
［１−２．小切手入金部の構成］
次に、小切手入金部１４の具体的な構成について、図２を参照しながら説明する。図２は、小切手入金部１４の模式的な左側面図を示している。媒体処理装置としての小切手入金部１４は、全体として直方体状に形成されたフレーム３２の内部に、小切手に関する種々の処理を行う複数の処理ユニットが組み込まれた構成となっている。
【００２２】
以下では、小切手入金部１４のうち顧客が対峙する側を前側とし、その反対を後側とし、当該前側に対峙した顧客から見て左及び右をそれぞれ左側及び右側とし、さらに上側及び下側を定義して説明する。
【００２３】
小切手入金部１４は、小切手入金部制御部３３により、自動取引装置の制御部７（図１）と連携しながら、全体を制御するようになっている。この小切手入金部制御部３３は、図示しないＣＰＵを中心に構成されており、図示しないＲＯＭやフラッシュメモリ等から所定のプログラムを読み出して実行することにより、入金取引に関する種々の処理を行う。また小切手入金部制御部３３は、内部にＲＡＭ、ハードディスクドライブやフラッシュメモリ等でなる記憶部３３Ｍを有しており、この記憶部３３Ｍに各種プログラムや入金取引に関する種々の情報を記憶させている。
【００２４】
フレーム３２の上部における前側約半分の部分には、受渡部としてのバンドル部４１が配置されている。バンドル部４１の前端には、開閉可能なシャッタ４１Ｓが設けられており、該シャッタ４１Ｓを開放した状態で、１枚以上の一群の小切手ＣＫが束状に集積された束小切手ＣＫＢを顧客に挿入させること、及び該束小切手ＣＫＢを顧客に受け取らせることができる。換言すれば、バンドル部４１は、顧客から束小切手ＣＫＢを受け取ること、及び該顧客に小切手ＣＫを引き渡すことができる。
【００２５】
またバンドル部４１は、内部に設けられた束搬送機構により、前後方向に沿った束搬送路ＷＢを形成しており、束小切手ＣＫＢをこの束搬送路ＷＢに沿って後方向又は前方向へ搬送する。さらにバンドル部４１には、小切手ＣＫの有無を検出するセンサが複数箇所に設けられている。
【００２６】
因みに各小切手ＣＫは、長方形の紙により構成され、その表面に金額等の情報が表示されている。また束小切手ＣＫＢは、各小切手ＣＫの長辺を前後に沿わせ、短辺を左右方向に沿わせると共に、金額等が記載された表面を上に向けた姿勢で挿入される。
【００２７】
またバンドル部４１では、一度に挿入可能な小切手ＣＫの最大枚数である最大挿入枚数（例えば６０枚）が規定されている。このため小切手入金部１４では、顧客が最大挿入枚数以上の小切手ＣＫを入金したい場合、１回の入金取引において最大挿入枚数以下の複数群に分けて小切手ＣＫを挿入させるか、最大挿入枚数以下の入金取引を複数回行わせることになる。
【００２８】
バンドル部４１の後端近傍には、分離部４２が設けられている。分離部４２は、束小切手ＣＫＢの上面側から一群の小切手ＣＫを１枚ずつに分離し、後方のアライナ部４３に順次引き渡す。また分離部４２は、後側のアライナ部４３から小切手ＣＫが搬送されてくると、これを前方の束搬送路ＷＢ内へ１枚ずつ放出することにより、束状に集積させることもできる。
【００２９】
アライナ部４３は、主に前後方向に沿った第１搬送路Ｗ１と、該第１搬送路Ｗ１の後端に接続され主に上下方向に沿った第２搬送路Ｗ２を内部に構成している。このアライナ部４３は、分離部４２から受け取った小切手ＣＫを第１搬送路Ｗ１に沿って後方へ搬送し、さらに第２搬送路Ｗ２に沿って下方へ順次搬送する。またアライナ部４３は、小切手ＣＫを第１搬送路Ｗ１における左右方向の何れか一方、例えば右方向へ幅寄せしながら搬送する。
【００３０】
第１切替部４４は、いわゆる３ウェイの切替器となっており、小切手入金部制御部３３の制御に基づき、上側のアライナ部４３内に形成された第２搬送路Ｗ２、前側のスキャナ部４５内に形成された第３搬送路Ｗ３、及び下側の第４搬送路Ｗ４のうち２つを接続するよう、小切手ＣＫの搬送路を切り替える。例えば小切手入金部制御部３３は、入金取引において第１切替部４４において第２搬送路Ｗ２及び第３搬送路Ｗ３を接続することにより、該第２搬送路Ｗ２により搬送されてきた小切手ＣＫをスキャナ部４５内の第３搬送路Ｗ３に引き渡す。
【００３１】
読取部としてのスキャナ部４５は、アライナ部４３のほぼ真下に位置しており、後端から約４／５の範囲が前後方向に沿い、残りの範囲に後上側及び前下側を結ぶよう傾斜した第３搬送路Ｗ３が内部に形成されると共に、この第３搬送路Ｗ３に沿って複数の部品が配置されている。
【００３２】
図３に拡大図を示すように、スキャナ部４５には、第３搬送路Ｗ３に沿って離散的な４箇所に搬送ローラ対５１Ａ、５１Ｂ、５１Ｃ及び５１Ｄ（以下これらをまとめて搬送ローラ対５１と呼ぶ）が配置されている。搬送ローラ対５１は、第３搬送路Ｗ３の上下に配置された駆動ローラ及び従動ローラにより小切手ＣＫを挟持し、所定の駆動力源から供給される駆動力により駆動ローラを回転させ、これに伴って小切手ＣＫを第３搬送路Ｗ３に沿って前方向又は後方向へ搬送する。
【００３３】
搬送ローラ対５１Ａ及び５１Ｂの間における第３搬送路Ｗ３の上側及び下側には、上画像読取部５２及び下画像読取部５３がそれぞれ配置されている。上画像読取部５２は、いわゆるＣＩＳ（Contact Image Scanner）となっており、第３搬送路Ｗ３に沿って搬送される小切手ＣＫのうち上側を向いた裏面と対向している。この上画像読取部５２は、小切手ＣＫの裏面を読み取って画像データを生成し、これを小切手入金部制御部３３（図２）へ供給する。また下画像読取部５３は、上画像読取部５２を上下反対に向けた構成となっており、搬送される小切手ＣＫのうち下側を向いた表面を読み取って画像データを生成し、これを小切手入金部制御部３３に供給する。
【００３４】
搬送ローラ対５１Ｂ及び５１Ｃの間における第３搬送路Ｗ３の下側には、小切手ＣＫから磁気記録を読み取る磁気ヘッド５４が配置されている。磁気ヘッド５４は、上面の一部を小切手ＣＫに当接させることにより、該小切手ＣＫから磁気データ、具体的にはＭＩＣＲ（Magnetic Ink Character Recognition）方式の文字等を読み取り、得られた読取結果を小切手入金部制御部３３に供給する。因みに磁気ヘッド５４は、図示しないアクチュエータにより、左右方向へ移動し得るようになっている。
【００３５】
また搬送ローラ対５１Ａ及び５１Ｂの間であり磁気ヘッド５４よりも後側となる箇所には、磁気トリガセンサ５５が設けられている。磁気トリガセンサ５５は、いわゆる光学センサとなっており、検知光を発光する発光素子及びこれを受光する受光素子により構成されている。この磁気トリガセンサ５５は、第３搬送路Ｗ３上を搬送される小切手ＣＫにより検知が遮光されたか否かを検知し、得られた検知結果を小切手入金部制御部３３に通知する。これに応じて小切手入金部制御部３３では、磁気ヘッド５４により磁気データを読み取るための準備を開始する。
【００３６】
搬送ローラ対５１Ｃ及び５１Ｄの間における第３搬送路Ｗ３の上側及び下側には、プリンタ５６及びスタンプ押印部５７がそれぞれ配置されている。プリンタ５６は、例えばインクジェット方式のプリンタとして構成されており、上搬送ガイド３１の上側に取り付けられている。このプリンタ５６は、小切手入金部制御部３３の制御に基づき、搬送される小切手ＣＫのうち上側を向いた裏面にインクを吐出することにより、取引結果等の内容を表す文字や記号等を印刷する。スタンプ押印部５７は、小切手入金部制御部３３の制御に基づき、搬送される小切手ＣＫのうち下側を向いた表面に、所定の文字や記号等を表すスタンプを押印する。
【００３７】
スキャナ部４５の前下側であり、バンドル部４１のほぼ真下となる位置には、エスクロ部４６（図２）が設けられている。エスクロ部４６は、内部に回転するドラムや該ドラムの周側面に巻き付けるテープ、及び小切手ＣＫを搬送するための搬送部等を有している。このエスクロ部４６は、スキャナ部４５から受け取った小切手ＣＫをドラムの周側面近傍へ搬送し、テープと共にドラムの周側面に順次巻き付けることにより、該小切手ＣＫを一時的に保留すること、すなわち収納することができる。またエスクロ部４６は、テープを巻き取りながらドラムを逆転させることにより、ドラムの周側面から小切手ＣＫを順次引き剥がしてスキャナ部４５に引き渡すこと、すなわち繰り出すことができる。
【００３８】
因みにエスクロ部４６は、ドラムの周囲に小切手ＣＫを順次巻き付けて保留する構造であるため、各小切手ＣＫを保留する順序と反対の順序で各小切手ＣＫを繰り出すことになる。
【００３９】
一方、第４搬送路Ｗ４の下側には、後中搬送部４７が設けられている。この後中搬送部４７には、第４搬送路Ｗ４の真下に配置された第２切替部４８と、主に上下方向に沿った搬送路でなる第５搬送路Ｗ５とが設けられている。このうち第２切替部は、小切手入金部制御部３３の制御に基づき、第４搬送路Ｗ４の接続先を第５搬送路Ｗ５又は前方のリトラクト部４９に切り替えるようになっている。
【００４０】
第５搬送路Ｗ５の前下側には、第１スタッカ部５０Ａ及び第２スタッカ部５０Ｂ（以下、両者をまとめてスタッカ部５０若しくは収納部とも呼ぶ。）が前後方向に並んで設けられている。第１スタッカ部５０Ａは、第６搬送路Ｗ６に沿って小切手ＣＫを搬送する搬送機構や、多数の小切手ＣＫを集積した状態で収納するスタッカ、及び該スタッカ内へ小切手ＣＫを押し込むプッシャ等を有している。第２スタッカ部５０Ｂは、第１スタッカ部５０Ａの前側に配置されており、該第１スタッカ部５０Ａと同様に構成されている。
【００４１】
［１−３．処理シーケンス］
ところで自動取引装置１では、小切手入金部１４において小切手ＣＫの入金取引が行われる場合、制御部７、小切手入金部上位プログラム２４や小切手入金部１４の小切手入金部制御部３３等の間で、種々の情報を相互にやりとりしながら、処理を進めていく。ここでは、図４及び図５に示すシーケンスチャートを参照しながら、入金取引における情報のやりとりについて説明する。
【００４２】
最初のシーケンスＳＱ１において自動取引装置１は、顧客から取引開始の指示を受け付けるための待機画面を表示操作部１１に表示する。具体的に制御部７は、表示操作部上位プログラム２１に対し、待機画面の表示を指示する。これに応じて表示操作部上位プログラム２１は、表示操作部１１に待機画面を表示させ、表示制御応答を制御部７に通知する。この待機画面には、例えば現金の入金や現金の払い戻し、或いは小切手の入金など、複数種類の取引が表示されており、顧客により選択されることで、それぞれの取引を開始できるようになっている。
【００４３】
次のシーケンスＳＱ２において、表示操作部上位プログラム２１は、表示操作部１１に表示した待機画面において顧客により小切手の入金取引が選択されると、このことを制御部７に通知する。
【００４４】
次のシーケンスＳＱ３において自動取引装置１は、顧客に束小切手ＣＫＢ（すなわち一群の小切手ＣＫ）を小切手入金部１４のバンドル部４１に挿入させる。具体的に制御部７は、まず表示操作部上位プログラム２１に表示制御指示を送信することにより、所定の挿入誘導画面を表示操作部１１に表示させる。この挿入誘導画面には、顧客に対し、小切手を小切手入金機のバンドル部４１に挿入するよう、メッセージ等が表示されている。表示操作部上位プログラム２１は、この挿入誘導画面を表示操作部１１に表示させると、表示制御応答を制御部７へ送信する。
【００４５】
これに応じて制御部７は、小切手入金部上位プログラム２４に対し、顧客に束小切手ＣＫＢを挿入させる小切手挿入処理を依頼する。小切手入金部上位プログラム２４は、小切手入金部１４に対し、小切手挿入処理の実行を依頼する。これに応じて小切手入金部１４は、顧客に束小切手ＣＫＢをバンドル部４１へ挿入させる。
【００４６】
具体的に小切手入金部１４の小切手入金部制御部３３は、まずバンドル部４１のシャッタ４１Ｓを開放させ、所定のセンサにより顧客に束小切手ＣＫＢが挿入されたか否かを監視する。続いて小切手入金部制御部３３は、顧客により束小切手ＣＫＢが挿入されたことを検出すると、束小切手ＣＫＢを引き込んでシャッタ４１Ｓを閉塞し、さらに該束小切手ＣＫＢを束搬送路ＷＢに沿って後方向へ搬送し、分離部４２の直前に到達させる。その後、小切手入金部制御部３３は、顧客による束小切手ＣＫＢの挿入が完了したことを表す挿入応答を小切手入金部上位プログラム２４へ通知する。これに応じて小切手入金部上位プログラム２４は、挿入応答を制御部７へ通知する。
【００４７】
次のシーケンスＳＱ４において自動取引装置１は、小切手入金部１４により、挿入された束小切手ＣＫＢ（一群の小切手ＣＫ）を１枚ずつ確認して枚数や金額を計数する入金計数処理を行う。具体的に制御部７は、表示操作部上位プログラム２１に表示制御指示を送信することにより、所定の入金中画面を表示操作部１１に表示させる。この入金中画面には、顧客に対し、小切手の読取や計数等の処理を行っているためしばらく待つよう、メッセージ等が表示される。表示操作部上位プログラム２１は、この入金中画面を表示操作部１１に表示させると、表示制御応答を制御部７へ送信する。
【００４８】
続いて制御部７は、小切手入金部上位プログラム２４に対し、入金計数処理を依頼する。小切手入金部上位プログラム２４は、これに応じて小切手入金部１４に対し、入金計数処理の実行を依頼する。小切手入金部１４は、後述する入金計数処理を実行することにより、バンドル部４１に挿入された一群の小切手ＣＫを分離部４２により１枚ずつに分離し、これをエスクロ部４６へ搬送しながら読み取り、入金可能であるか否かを判断する。この入金計数処理の完了後、すなわち一群の小切手ＣＫの全てを読み取った後、小切手入金部１４は、入金計数応答を小切手入金部上位プログラム２４へ送信する。
【００４９】
次のシーケンスＳＱ５において自動取引装置１は、読み取った小切手ＣＫの内容等を顧客に提示した上で、入金取引を継続するか否かを指示させる。具体的に制御部７は、表示操作部上位プログラム２１に表示制御指示を送信することにより、所定の入金確認画面を表示操作部１１に表示させる。この入金確認画面には、バンドル部４１に挿入された束小切手ＣＫＢの各小切手ＣＫを読み取った結果として、小切手ＣＫの枚数や、入金取引が可能と判断された各小切手ＣＫのＭＩＣＲ文字等から認識した金額の一覧等が表示されている。またこの入金確認画面には、入金取引が不可能と判断された小切手ＣＫから読み取った画像等も表示される。
【００５０】
さらに確認画面には、各小切手ＣＫから読み取った内容での入金取引を確定するか否かを問い合わせるメッセージや、ＧＵＩ（Graphical User Interface）により構成された「確定」ボタン及び「キャンセル」ボタン等が表示される。このうち「確定」ボタンは、各小切手ＣＫからの読取結果を了承して入金額を確定すること、すなわちこのまま取引を継続することを意味する。また「キャンセル」ボタンは、各小切手ＣＫからの読取結果を了承せず、入金取引を中止して一群の小切手ＣＫを全て返却させることを意味する。顧客は、入金確認画面の表示内容を確認した上で、「確定」ボタン又は「キャンセル」ボタンをタッチ操作する。
【００５１】
ここで顧客により「キャンセル」ボタンがタッチされた場合、小切手入金部制御部３３は、小切手ＣＫの返却処理を行う。具体的に小切手入金部制御部３３は、エスクロ部４６に保留している一群の小切手ＣＫを１枚ずつ繰り出し、入金読取処理における小切手ＣＫの搬送経路を逆走させるようにして、スキャナ部４５、第１切替部４４及びアライナ部４３を介して分離部４２に到達させる。分離部４２は、搬送されてきた小切手ＣＫを前方のバンドル部４１における束搬送路ＷＢ内へ放出して順次集積させ、束小切手ＣＫＢを形成していく。
【００５２】
やがて小切手入金部制御部３３は、エスクロ部４６に保留していた一群の小切手ＣＫの全てをバンドル部４１へ搬送し終えると、シャッタ４１Ｓを開放すると共に束小切手ＣＫＢを前方へ搬送し、該束小切手ＣＫＢを顧客に取り出させる。このとき小切手入金部制御部３３は、バンドル部４１に組み込まれたセンサにより束小切手ＣＫＢが取り出されたことを検知した場合、該束小切手ＣＫＢが利用者に返却されたものと判断してシャッタ４１Ｓを閉塞し、返却処理を終了する。
【００５３】
因みに、バンドル部４１において所定時間内に束小切手ＣＫＢが取り出されなかった場合、小切手入金部制御部３３は、利用者が束小切手ＣＫＢを取り出さずに立ち去ったと判断し、この束小切手ＣＫＢを取り込む取忘取込処理により内部へ取り込む。このとき小切手入金部制御部３３は、第１切替部４４により第２搬送路Ｗ２及び第４搬送路Ｗ４を接続し、さらに第２切替部４８により該第４搬送路Ｗ４をリトラクト部４９と接続させる。その上で小切手入金部制御部３３は、束小切手ＣＫＢの小切手ＣＫを分離部４２により１枚ずつに分離して第１搬送路Ｗ１及び第２搬送路Ｗ２、並びに第４搬送路Ｗ４に沿って搬送し、リトラクト部４９に収納させる。
【００５４】
一方、表示操作部１１に確認画面を表示した状態において、顧客により「継続」ボタンがタッチされると、自動取引装置１は、次のシーケンスＳＱ６において、小切手入金部１４により一群の小切手ＣＫを読取結果に応じてそれぞれ収納又は返却する収納処理を行う。具体的に制御部７は、表示操作部上位プログラム２１に表示制御指示を送信することにより、所定の収納中画面を表示操作部１１に表示させる。この収納中画面には、顧客に対し、小切手の収納や返却等の処理を行っているためしばらく待つよう、メッセージ等が表示される。表示操作部上位プログラム２１は、この収納中画面を表示操作部１１に表示させると、表示制御応答を制御部７へ送信する。
【００５５】
続いて制御部７は、小切手入金部上位プログラム２４に対し、収納処理を依頼する。小切手入金部上位プログラム２４は、これに応じて小切手入金部１４に対し、収納処理の実行を依頼する。小切手入金部１４は、後述する収納処理を実行することにより、一群の小切手ＣＫを１枚ずつエスクロ部から繰り出し、搬送先である第１スタッカ部５０Ａ若しくは第２スタッカ部５０Ｂ、又はバンドル部４１へ順次搬送させる。
【００５６】
この収納処理の途中において小切手入金部１４は、一群の小切手ＣＫについてバンドル部４１を用いる処理が完了し、該バンドル部４１を用いた次の処理を開始可能であると判断した時点で、次処理可能通知を小切手入金部上位プログラム２４へ送信する（詳しくは後述する）。この場合、小切手入金部１４は、収納処理の一部を継続して実行しながら、これと並行して以降の処理も実行する。また小切手入金部１４は、一群の小切手ＣＫに関する収納処理が完了すると、収納完了通知を生成して制御部７へ送信する（詳しくは後述する）。
【００５７】
次のシーケンスＳＱ７（図５）において自動取引装置１は、制御部７により、バンドル部４１のセンサから得られた小切手ＣＫの検出結果等を基に、顧客に返却すべき小切手ＣＫが１枚以上あるか否かを判定する。制御部７は、ここで肯定結果が得られると次のシーケンスＳＱ８へ移り、否定結果が得られるとその次のシーケンスＳＱ９へ移る。
【００５８】
シーケンスＳＱ８において自動取引装置１は、小切手入金部１４により、顧客に返却すべき小切手ＣＫを返却する。具体的に制御部７は、まず表示操作部上位プログラム２１に表示制御指示を送信することにより、所定の受取誘導画面を表示操作部１１に表示させる。この受取誘導画面には、顧客に対し、正常に読み取れなかった等の理由で返却する小切手ＣＫをバンドル部４１から受け取る（取り出す）よう、メッセージ等が表示される。表示操作部上位プログラム２１は、この受取誘導画面を表示操作部１１に表示させると、表示制御応答を制御部７へ送信する。
【００５９】
続いて制御部７は、小切手入金部上位プログラム２４に対し、受取処理を依頼する。小切手入金部上位プログラム２４は、これに応じて小切手入金部１４に対し、受取処理の実行を依頼する。小切手入金部１４は、バンドル部４１に集積されている小切手ＣＫ（すなわち束小切手ＣＫＢ）を束搬送路ＷＢに沿って前方向へ搬送し、さらにシャッタ４１Ｓを開放して束小切手ＣＫＢの前端側を外部に露出させ、顧客に該束小切手ＣＫＢを受け取らせる。小切手入金部１４は、バンドル部４１に設けられたセンサにより、該束小切手ＣＫＢが受け取られたことを検出すると、受取応答を生成して小切手入金部上位プログラム２４へ通知する。これに応じて小切手入金部上位プログラム２４は、受取応答を制御部７へ通知する。
【００６０】
次のシーケンスＳＱ９において自動取引装置１は、顧客に次の一群の小切手ＣＫを追加するか否かを確認するための追加確認画面を表示操作部１１に表示する。具体的に制御部７は、表示操作部上位プログラム２１に対し、追加確認画面の表示を指示する。これに応じて表示操作部上位プログラム２１は、表示操作部１１に追加確認画面を表示させ、表示制御応答を制御部７に通知する。この待機画面には、例えば次の一群の小切手ＣＫを追加するか否かを問い合わせるメッセージや、ＧＵＩによる「追加する」ボタンや「追加しない」ボタン等が表示されており、顧客に何れかのボタンを選択させるようになっている。表示操作部上位プログラム２１は、表示操作部１１に表示した追加確認画面において顧客により何れかのボタンが操作されると、このことを制御部７に通知する。
【００６１】
次のシーケンスＳＱ１０において自動取引装置１は、制御部７により、追加確認画面における顧客の操作を基に、顧客に次の一群の小切手ＣＫを追加する意思があるか否かを判定する。制御部７は、ここで肯定結果が得られると次のシーケンスＳＱ１１へ移り、否定結果が得られるとその次のシーケンスＳＱ１２へ移る。
【００６２】
シーケンスＳＱ１１において自動取引装置１は、シーケンスＳＱ３（図４）と同様の処理を行うことにより、顧客に追加の小切手ＣＫを挿入させる。これにより小切手入金部１４では、バンドル部４１において、顧客に挿入された追加の小切手ＣＫ（束小切手ＣＫＢ）が分離部４２の直前において保持された状態となる。
【００６３】
次のシーケンスＳＱ１２において自動取引装置１は、シーケンスＳＱ６において小切手入金部１４で開始した収納処理が完了したか否かを判定する。具体的に制御部７は、小切手入金部１４から収納完了通知を受信したか否かを判定する。ここで否定結果が得られると、制御部７はこのシーケンスＳＱ１２を継続することにより、小切手入金部１４からの収納完了通知の受信を待ち受ける。一方、肯定結果が得られると、このことは、エスクロ部４６から先の一群の小切手ＣＫを全て繰り出したために、次の一群の小切手ＣＫを新たに保留し得ること、すなわちスキャナ部４５へ搬送して読み取り得ることを表している。このとき制御部７は、次のシーケンスＳＱ１３に移る。
【００６４】
シーケンスＳＱ１３において制御部７は、シーケンスＳＱ１１において追加の（すなわち次の一群の）小切手ＣＫが挿入されたか否かを判定する。ここで肯定結果が得られると、制御部７は再度シーケンスＳＱ４に戻り、次の一群の小切手ＣＫについて、入金計数処理等の一連の処理を繰り返す。一方、否定結果が得られると、制御部７は、最初のシーケンスＳＱ１に戻って表示操作部１１に待機画面を表示させ、次の顧客による新たな取引開始の操作を待ち受ける。
【００６５】
因みに自動取引装置１では、小切手入金部１４の内部において、例えば小切手ＣＫの詰まり等の障害を検知した場合、係員操作部１９に所定の異常通知画面を表示する。この異常通知画面には、例えば小切手入金部１４（図２）を模式的に表した画像が表示された上で、障害が検知された箇所に所定のマーク等が重ねて表示される。この異常通知画面には、特にシーケンスＳＱ１１において次の一群の小切手ＣＫが顧客に挿入されていた場合、何れの一群の小切手ＣＫに関して障害が発生しているかについても、併せて表示するようになっている。
【００６６】
［１−４．処理手順］
次に、小切手入金部１４において行われる入金計数処理及び収納処理について、具体的な処理の手順や内容をそれぞれ説明する。
【００６７】
［１−４−１．入金読取処理］
まず、小切手入金部１４における入金計数処理について、図６のフローチャートを参照しながら説明する。ここでは、上述したシーケンスＳＱ３（図４）又はシーケンスＳＱ１１（図５）において、顧客によりバンドル部４１に束小切手ＣＫＢが挿入され、該束小切手ＣＫＢが束搬送路ＷＢに沿って分離部４２の直前にまで搬送されているものとする。
【００６８】
小切手入金部１４の小切手入金部制御部３３は、入金読取処理手順ＲＴ１を開始してステップＳＰ１へ移り、分離部４２により、バンドル部４１に保持している束小切手ＣＫＢから１枚の小切手ＣＫを分離させる。さらに小切手入金部制御部３３は、この小切手ＣＫをアライナ部４３及び第１切替部４４によりスキャナ部４５まで搬送させ、次のステップＳＰ２へ移る。因みに小切手入金部制御部３３は、バンドル部４１から搬送した小切手ＣＫの枚数を計数し、記憶部３３Ｍに記憶させている。
【００６９】
ステップＳＰ２において小切手入金部制御部３３は、スキャナ部４５の搬送ローラ対５１（図３）により小切手ＣＫを前方へ搬送しながら、上画像読取部５２により画像の取得、すなわち画像データの生成を開始して、次のステップＳＰ３へ移る。ステップＳＰ３において小切手入金部制御部３３は、引き続き搬送ローラ対５１により小切手ＣＫを前方へ搬送しながら、下画像読取部５３により画像の取得を開始して、次のステップＳＰ４へ移る。
【００７０】
ステップＳＰ４において小切手入金部制御部３３は、上画像読取部５２及び下画像読取部５３によりそれぞれ得られた画像の一部を基に、小切手ＣＫにおける短辺（すなわち左右方向）の長さを認識した上で、この長さに応じて磁気ヘッド５４を最適な位置へ移動させ、次のステップＳＰ５へ移る。
【００７１】
ステップＳＰ５において小切手入金部制御部３３は、磁気ヘッド５４により小切手ＣＫから磁気データの取得（読み取り）を開始すると共に、該磁気ヘッド５４から順次得られる磁気読取結果を基にＭＩＣＲ文字の解析を開始して、次のステップＳＰ６へ移る。因みに小切手入金部制御部３３は、磁気ヘッド５４よりも上流側（すなわち後側）に配置された磁気トリガセンサ５５により小切手ＣＫの先端（前端）を検出した時点で、該磁気ヘッド５４による磁気データを読み取るための準備を開始している。
【００７２】
ステップＳＰ６において小切手入金部制御部３３は、搬送ローラ対５１により後方へ搬送される小切手ＣＫの後端（末端）が上画像読取部５２における読取位置を通過すると、該上画像読取部５２画像の取得を終了し、この画像を記憶部３３Ｍに記憶させた上で、次のステップＳＰ７へ移る。ステップＳＰ７において小切手入金部制御部３３は、小切手ＣＫの後端が下画像読取部５３における読取位置を通過すると、該下画像読取部５３による画像の取得を終了し、この画像を記憶部３３Ｍに記憶させた上で、次のステップＳＰ８へ移る。
【００７３】
ステップＳＰ８において小切手入金部制御部３３は、磁気ヘッド５４による小切手ＣＫからの磁気データの取得を終了し、次のステップＳＰ９へ移る。ステップＳＰ９において小切手入金部制御部３３は、取得した磁気データ解析結果、すなわちＭＩＣＲ文字の読取結果を取得して記憶部３３Ｍに記憶させた上で、次のステップＳＰ１０へ移る。ステップＳＰ１０において小切手入金部制御部３３は、搬送ローラ対５１により小切手ＣＫをエスクロ部４６まで搬送して収納させ、次のステップＳＰ１１へ移る。
【００７４】
ステップＳＰ１１において小切手入金部制御部３３は、上画像読取部５２及び下画像読取部５３から得られた画像と、磁気ヘッド５４から得られた磁気データの解析結果であるＭＩＣＲ文字を基に、小切手ＣＫが取引可能であるか否かを判断し、その判断結果に応じて搬送先を決定する。具体的に小切手入金部制御部３３は、得られた画像を基に判断した小切手ＣＫの大きさや表裏、及びＭＩＣＲ文字を正常に読み取れたか否か等を基に、当該小切手ＣＫの入金取引が可能であるか否かを判断する。
【００７５】
このとき小切手入金部制御部３３は、当該小切手ＣＫの入金取引が可能であれば、取引の完了後に収納するために、搬送先を第１スタッカ部５０Ａ又は第２スタッカ部５０Ｂに決定する。その一方で小切手入金部制御部３３は、当該小切手ＣＫの入金取引が不可能であれば、顧客に返却するために、搬送先をバンドル部４１に決定する。説明の都合上、以下では、入金取引が可能と判断された小切手ＣＫを取引可能小切手若しくは取引可能媒体と呼び、また入金取引が不可能と判断された小切手ＣＫを取引不可能小切手若しくは取引不可能媒体と呼ぶ。
【００７６】
また小切手入金部制御部３３は、図７（Ａ）に示す搬送先リストＬ１を記憶部３３Ｍに記憶させている。小切手入金部制御部３３は、当該小切手ＣＫがバンドル部４１から分離されて搬送された順序、すなわち後にエスクロ部４６に保留される順序（以下これを保留順序と呼ぶ）と対応付けて、当該小切手ＣＫの搬送先を搬送先リストＬ１に格納する。その上で小切手入金部制御部３３は、次のステップＳＰ１２に移る。
【００７７】
ステップＳＰ１２において小切手入金部制御部３３は、バンドル部４１に設けられたセンサによる小切手ＣＫの検出結果を基に、該バンドル部４１に保持していた全ての小切手ＣＫをスキャナ部４５へ搬送して画像や磁気データを取得したか否かを判定する。ここで否定結果が得られると、小切手入金部制御部３３は再びステップＳＰ１へ戻り、次の小切手ＣＫについて一連の処理を繰り返す。
【００７８】
一方、ステップＳＰ１２において肯定結果が得られると、小切手入金部制御部３３は次のステップＳＰ１３へ移り、入金読取処理手順ＲＴ１を終了する。このとき小切手入金部制御部３３は、束小切手ＣＫＢに含まれる全ての小切手ＣＫの枚数が確定したことになるため、搬送先リストＬ１（図７（Ａ））における繰出順序の欄に、保留順序と反対の順序となる数字をそれぞれ格納する。
【００７９】
［１−４−２．収納処理］
次に、小切手入金部１４における収納処理について、図８のフローチャートを参照しながら説明する。具体的に小切手入金部制御部３３は、全ての小切手ＣＫがエスクロ部４６に保留され、表示操作部１１に確認画面が表示された状態において、顧客により「継続」ボタンがタッチされると、収納処理手順ＲＴ２（図８）を開始してステップＳＰ２１に移る。
【００８０】
ステップＳＰ２１において小切手入金部制御部３３は、枚数カウンタの値を「０」に初期化して、次のステップＳＰ２２へ移る。この枚数カウンタは、エスクロ部４６から繰り出された小切手ＣＫの枚数を計数するための変数である。ステップＳＰ２２において小切手入金部制御部３３は、枚数カウンタに値「１」を加算することにより更新し、次のステップＳＰ２３に移る。このとき更新された枚数カウンタは、次のステップＳＰ２３以降の処理によってエスクロ部４６から繰り出される小切手ＣＫの繰出順序を表す値となる。
【００８１】
ステップＳＰ２３において小切手入金部制御部３３は、顧客に返却すべき小切手ＣＫのうちエスクロ部４６に残っているものがあるか否か、すなわち未返却の入金不可能小切手がエスクロ部４６に１枚以上残っているか否かを判定する。具体的に小切手入金部制御部３３は、記憶部３３Ｍに記憶している搬送先リストＬ１を参照し、繰出順序の値がこの時点の枚数カウンタ以上である小切手ＣＫのうち、搬送先が「バンドル部」に設定されているものがあるか否かを判定する。
【００８２】
ここで否定結果が得られると、このことは図７（Ｂ）に示す搬送先リストＬ２のように全ての小切手ＣＫが入金可能小切手であり顧客に返却する必要がないか、或いは全ての入金不可能小切手をエスクロ部４６からバンドル部４１へ搬送し終えたことを表している。これにより小切手入金部１４では、一群の小切手ＣＫに関する現在の収納処理において、該バンドル部４１を使用する機会が無くなるため、仮に顧客に次の一群の小切手ＣＫを追加する意思があれば、該小切手ＣＫをバンドル部４１に挿入させることが可能となる。説明の都合上、以下では、この状態を次処理可能状態とも呼ぶ。
【００８３】
そこで小切手入金部制御部３３は、次のステップＳＰ２４に移り、小切手入金部上位プログラム２４に対して次処理可能通知を送信し（図４のシーケンスＳＱ６）、その次のステップＳＰ２５に移る。因みに小切手入金部制御部３３は、ステップＳＰ２３において最初に否定結果が得られた場合にのみ次処理可能通知を送信することにより、１回の収納処理において、該次処理可能通知を１回だけ送信するようになっている。
【００８４】
一方、ステップＳＰ２３において肯定結果が得られると、このことは顧客に返却すべき取引不可能小切手がエスクロ部４６に残っており、今後の処理において当該取引不可能小切手をバンドル部４１へ搬送すべきことを表している。この場合、取引不可能小切手をバンドル部４１に集積してから顧客に返却するため、仮に顧客に小切手ＣＫを追加する意思があったとしても、この段階では追加の小切手ＣＫをバンドル部４１に挿入させるべきではない。このとき小切手入金部制御部３３は、次処理可能通知を送信することなく、次のステップＳＰ２５へ移る。
【００８５】
ステップＳＰ２５において小切手入金部制御部３３は、エスクロ部４６から小切手ＣＫを１枚繰り出し、スキャナ部４５の搬送ローラ対５１により第３搬送路Ｗ３に沿って後方へ搬送してプリンタ５６の手前に到達させると、次のステップＳＰ２６に移る。
【００８６】
ステップＳＰ２６において小切手入金部制御部３３は、プリンタ５６により小切手ＣＫの裏面に取引の日時や内容等を表す文字等を印字すると共に、スタンプ押印部５７により該小切手ＣＫの表面に押印して、次のステップＳＰ２７に移る。ステップＳＰ２７において小切手入金部制御部３３は、小切手ＣＫを引き続きスキャナ部４５の搬送ローラ対５１により後方へ搬送し、第１切替部４４の手前に到達させると、次のステップＳＰ２８に移る。
【００８７】
ステップＳＰ２８において小切手入金部制御部３３は、搬送先リストＬ１において当該小切手ＣＫの繰出順序（すなわち枚数カウンタの値）と対応付けられている搬送先を確認し、次のステップＳＰ２９に移る。ステップＳＰ２９において小切手入金部制御部３３は、小切手ＣＫが入金可能であるか否か、すなわち該小切手ＣＫが取引可能小切手であるか否かを判定する。具体的に小切手入金部制御部３３は、搬送先リストＬ１から読み出した小切手ＣＫの搬送先が第１スタッカ部５０Ａ又は第２スタッカ部５０Ｂであるか否かを判定する。
【００８８】
ここで肯定結果が得られると、小切手入金部制御部３３は次のステップＳＰ３０へ移り、第１切替部４４において第３搬送路Ｗ３及び第４搬送路Ｗ４を接続するよう切り替える。続いて小切手入金部制御部３３は、小切手ＣＫを後中搬送部４７において第４搬送路Ｗ４及び第５搬送路Ｗ５に沿って搬送し、搬送先である第１スタッカ部５０Ａ又は第２スタッカ部５０Ｂに到達させ、次のステップＳＰ３２に移る。このとき第１スタッカ部５０Ａ及び第２スタッカ部５０Ｂは、後中搬送部４７から小切手ＣＫを受け取ると、小切手入金部制御部３３の制御に従い、該小切手ＣＫをスタッカ内に押し込んで、集積した状態で収納する。
【００８９】
一方、ステップＳＰ２９において否定結果が得られると、小切手入金部制御部３３は次のステップＳＰ３１へ移り、第１切替部４４において第３搬送路Ｗ３及び第２搬送路Ｗ２を接続するよう切り替える。続いて小切手入金部制御部３３は、上述した返却処理の場合と同様、スキャナ部４５、第１切替部４４及びアライナ部４３を介して分離部４２に到達させ、該分離部４２から小切手ＣＫを前方のバンドル部４１における束搬送路ＷＢ内へ放出して集積させてから、次のステップＳＰ３２へ移る。
【００９０】
ステップＳＰ３２において小切手入金部制御部３３は、エスクロ部４６に保留していた全ての小切手ＣＫを繰り出したか否かを判定する。ここで否定結果が得られると、このとき小切手入金部制御部３３は、再びステップＳＰ２２に移り、残りの小切手ＣＫについて一連の処理を繰り返す。一方、ステップＳＰ３２において肯定結果が得られると、小切手入金部制御部３３は、次のステップＳＰ３３へ移る。
【００９１】
ステップＳＰ３３において小切手入金部制御部３３は、制御部７に対して収納完了通知を送信し（図５のシーケンスＳＱ１２）、その次のステップＳＰ３４に移って収納処理手順ＲＴ２を終了する。
【００９２】
［１−５．効果等］
以上の構成において、第１の実施の形態による自動取引装置１の小切手入金部１４は、収納処理において、バンドル部４１から顧客に返却すべき取引不可能小切手がエスクロ部４６に１枚も残っていなければ、次処理可能通知を制御部７へ通知する（図４のシーケンスＳＱ６、図８のステップＳＰ２４）。
【００９３】
これにより小切手入金部１４では、エスクロ部４６に取引可能小切手が残っており、第１スタッカ部５０Ａ等へ搬送する必要があるとしても、バンドル部４１から顧客に対する取引不可能小切手の返却や、該顧客による追加の（すなわち次の一群の）小切手ＣＫの挿入を並行して行わせることができる。このため自動取引装置１では、収納処理が全て終了してから取引不可能小切手を顧客に返却し、或いは次の一群の小切手ＣＫを顧客に挿入させる場合と比較して、当該顧客の待ち時間を大幅に短縮することができる。
【００９４】
これを他の観点から見ると、小切手入金部１４（図２）では、バンドル部４１及びエスクロ部４６を結ぶ搬送経路と、該エスクロ部４６及び第１スタッカ部５０Ａ等とを結ぶ搬送経路とが、第１切替部４４において交わり、該第１切替部４４及びエスクロ部４６の間の部分を共用している。このため小切手入金部１４では、一群に属する小切手ＣＫがエスクロ部４６に保留されている状態であっても、その全てが取引可能小切手でありその搬送先が全て第１スタッカ部５０Ａ又は第２スタッカ部５０Ｂであれば、これらの小切手ＣＫを第１切替部４４よりもバンドル部４１側へ搬送することが無い。
【００９５】
そこで小切手入金部１４では、エスクロ部４６に保留されている一群の小切手ＣＫの搬送先が全て第１スタッカ部５０Ａ又は第２スタッカ部５０Ｂとなった段階、すなわち全てが取引可能小切手となった段階で、バンドル部４１において取引不可能小切手の返却や次の一群の小切手ＣＫの挿入を行わせるようにした。これにより小切手入金部１４では、異なる一群の小切手ＣＫ同士を混在させることなく、各部を効率良く利用することができる。
【００９６】
さらに別の観点から見れば、小切手入金部１４のバンドル部４１は、従来から、一群の小切手ＣＫが束ねられて束小切手ＣＫＢとして挿入されると、これを束搬送路ＷＢに沿って前後方向へ搬送でき、また分離部４２の直前において束小切手ＣＫＢのまま保持することができる。すなわちバンドル部４１は、従来からの機能として、アライナ部４３等における小切手ＣＫの搬送に何ら影響を与えることなく、束小切手ＣＫＢを保持した状態を継続できる。このため小切手入金部１４では、バンドル部４１に関して、次の一群の小切手ＣＫを内部で保持するための機構の追加や制御の変更を行う必要が無く、従来と同様の部品や基本的な制御プログラム等をそのまま使用できるので、その開発や製造に要するコストを必要最小限に抑えることができる。
【００９７】
また自動取引装置１では、小切手入金部１４から制御部７へ次処理可能通知を通知し、顧客に次の一群の小切手ＣＫがバンドル部４１へ挿入された場合であっても、収納完了通知が通知されてから、該小切手ＣＫをエスクロ部４６へ搬送する入金計数処理を行うようにした（図５のシーケンスＳＱ１２、図８のステップＳＰ３３）。これにより小切手入金部１４では、一群の小切手ＣＫと次の一群の小切手ＣＫとの混在を回避し、小切手入金部１４内において一群の小切手同士を明確に区別することができる。
【００９８】
このため小切手入金部１４では、例えば一群の小切手ＣＫについて収納処理を行いながら、次の一群の小切手ＣＫが顧客から挿入された状態で、小切手ＣＫの詰まり等の障害が発生したとしても、保守作業者等により、当該小切手ＣＫが何れの一群に属するかを容易に判別させることができる。またこの場合、係員操作部１９（図１）は、異常通知画面において障害が発生した小切手ＣＫが何れの一群に属するかを表示するため、このことを保守作業員等に明確に通知することができる。
【００９９】
さらに小切手入金部１４では、入金計数処理において各小切手ＣＫを読み取って決定した搬送先を搬送先リストＬ１に格納して記憶部３３Ｍに記憶させ、これを用いて取引不可能小切手がエスクロ部４６に残っているか否かを判断する際に、枚数カウンタの値を繰出枚数と見なすようにした（図８のステップＳＰ２３）。このため小切手入金部１４では、例えばエスクロ部４６から繰り出した小切手ＣＫをスキャナ部４５により再び読み取って得られた結果を用いる、といった処理を行う場合と比較して、極めて簡素な演算処理により正確に判断することができる。
【０１００】
また小切手入金部１４は、従来より、収納処理において第１切替部４４により各小切手ＣＫを正確にそれぞれの搬送先へ搬送する目的で、枚数カウンタ及び搬送先リストＬ１若しくはこれに類似した情報を用いていた。このため小切手入金部１４は、この枚数カウンタ及び搬送先リストＬ１等の情報を活用することにより、専用のリストや変数等を追加する必要なく、次処理可能通知を送信すべきであるか否かを正しく判断することができる。
【０１０１】
以上の構成によれば、第１の実施の形態による自動取引装置１の小切手入金部１４は、収納処理において、バンドル部４１から顧客に返却すべき取引不可能小切手がエスクロ部４６から全て繰り出されると、次処理可能通知を制御部７へ通知する。これにより小切手入金部１４では、エスクロ部４６に取引可能小切手が残っていたとしても、バンドル部４１から顧客に対する取引不可能小切手の返却や、該顧客による追加の小切手ＣＫの挿入を並行して行わせることができるので、該顧客の待ち時間を大幅に短縮することができる。
【０１０２】
［２．第２の実施の形態］
第２の実施の形態による自動取引装置１０１（図１）は、第１の実施の形態による自動取引装置１と比較して、制御部７、小切手入金部１４及び小切手入金部上位プログラム２４に代わる制御部１０７、小切手入金部１１４及び小切手入金部上位プログラム１２４を有する点において相違するものの、他の点については同様に構成されている。制御部１０７及び小切手入金部上位プログラム１２４は、それぞれ第１の実施の形態と概ね同様に構成されているもの、第１の実施の形態と一部異なる処理を実行するようになっている（詳しくは後述する）。
【０１０３】
小切手入金部１１４（図２）は、第１の実施の形態による小切手入金部１４と比較して、小切手入金部制御部３３に代わる小切手入金部制御部１３３を有する点において相違するものの、他の点については同様に構成されている。小切手入金部制御部１３３は、第１の実施の形態と同様に、図示しないＣＰＵやＲＯＭ等を有しているものの、第１の実施の形態とは一部異なる手順に従い、入金取引に関する種々の処理を行う。
【０１０４】
ところで自動取引装置１０１では、小切手入金部１１４において小切手ＣＫの入金取引が行われる場合、第１の実施の形態と同様、制御部１０７、小切手入金部上位プログラム１２４や小切手入金部１１４の小切手入金部制御部１３３等の間で、種々の情報を相互にやりとりしながら、処理を進めていく。このとき自動取引装置１０１では、前半部分として、第１の実施の形態と同様に図４に示した各シーケンスに従った処理を進めるものの、後半部分として、図５に代わる図９に示す各シーケンスに従って処理を進めるようになっている。
【０１０５】
すなわち自動取引装置１０１は、シーケンスＳＱ１〜ＳＱ８（図４及び図８）の各処理を行うことにより、小切手入金部１１４において顧客に一群の小切手ＣＫを挿入させ、入金計数処理及び収納処理を行い、次処理可能通知を制御部１０７へ通知し、返却すべき小切手ＣＫを顧客に返却する。
【０１０６】
次に自動取引装置１０１は、シーケンスＳＱ２１（図９）においてシーケンスＳＱ１と同様の処理を行うことにより、表示操作部１１に待機画面を表示させる。これにより先の顧客は、入金取引が完了したものと判断し、自動取引装置１０１の前から立ち去る。これに伴い次の顧客は、自動取引装置１０１の前に移動し、この待機画面を視認する。
【０１０７】
次のシーケンスＳＱ２２において、表示操作部上位プログラム２１は、シーケンスＳＱ２と同様の処理を行うことにより、表示操作部１１に表示した待機画面において次の顧客により小切手の入金取引が選択されると、このことを制御部１０７に通知する。
【０１０８】
次のシーケンスＳＱ２３において、自動取引装置１０１は、シーケンスＳＱ３と同様の処理を行うことにより、次の顧客により、次の一群の小切手ＣＫを挿入させる。すなわち自動取引装置１０１では、先の顧客から挿入された一群の小切手ＣＫについての収納処理を行いながら、次の顧客に次の一群の小切手ＣＫをバンドル部４１に挿入させる。
【０１０９】
その後、自動取引装置１０１は、第１の実施の形態と同様に、シーケンスＳＱ１２の処理を進めることにより、収納処理が完了するまで待機してから、次のシーケンスＳＱ２４に移る。シーケンスＳＱ２４において制御部１０７は、再度シーケンスＳＱ４に戻り、次の顧客により挿入された次の一群の小切手ＣＫについて、入金計数処理等の一連の処理を繰り返す。
【０１１０】
因みにこの第２の実施の形態において、小切手入金部１１４では、第１の実施の形態と同様に、入金計数処理において図６のフローチャートに従った一連の処理を行い、また収納処理において図８のフローチャートに従った一連の処理を行う。
【０１１１】
以上の構成において、第２の実施の形態による自動取引装置１０１の小切手入金部１１４は、収納処理において、バンドル部４１から顧客に返却すべき小切手ＣＫがエスクロ部４６から全て繰り出されると、第１の実施の形態と同様に次処理可能通知を制御部１０７へ通知する。これにより小切手入金部１１４では、エスクロ部４６に入金可能な未収納の小切手ＣＫが残っており、第１スタッカ部５０Ａ等へ搬送する必要があるとしても、バンドル部４１からの小切手ＣＫの顧客への返却や、次の顧客による次の一群の小切手ＣＫの挿入を並行して行わせることができる。
【０１１２】
換言すれば、自動取引装置１０１では、小切手入金部１１４から制御部１０７へ次処理可能通知が通知されると、次の顧客との間で次の入金取引を開始することができる。これにより自動取引装置１０１では、次の顧客に小切手ＣＫを投入させるまでに待たせる時間を格段に短縮することができる。
【０１１３】
その他の点においても、自動取引装置１０１は、第１の実施の形態と同様の作用効果を奏し得る。
【０１１４】
以上の構成によれば、第２の実施の形態による自動取引装置１０１の小切手入金部１１４は、収納処理において、バンドル部４１から顧客に返却すべき小切手ＣＫがエスクロ部４６から全て繰り出されると、次処理可能通知を制御部１０７へ通知する。これにより小切手入金部１１４では、エスクロ部４６に小切手ＣＫが残っていたとしても、バンドル部４１からの小切手ＣＫの顧客への返却や、次の顧客による次の一群の小切手ＣＫの挿入を並行して行わせることができるので、次の顧客の待ち時間を大幅に短縮することができる。
【０１１５】
［３．他の実施の形態］
なお上述した第１の実施の形態においては、収納処理において、搬送先リストＬ１及び枚数カウンタの値を基に、エスクロ部４６に未返却の小切手ＣＫが残っているか否かを判断する場合について述べた（図８のステップＳＰ２３）。しかしながら本発明はこれに限らず、例えばエスクロ部４６から繰り出された各小切手ＣＫをスキャナ部４５において再度読み取り、得られた読取結果を搬送先リストＬ１と比較しても良い。或いは、例えば収納処理の開始時に搬送先リストＬ１を基に、搬送先がバンドル部４１であり繰出順序が最も遅い（数値が大きい）小切手ＣＫの該繰出順序を例えば「６枚目」のように記憶しておき、枚数カウンタが該繰出順序よりも大きくなったときに、小切手ＣＫを全て返却したと判断しても良い。さらには、搬送先リストＬ１とは異なる形式により、各小切手ＣＫの読取結果を記憶しておき、この読取結果を用いて判断しても良い。第２の実施の形態についても同様である。
【０１１６】
また上述した第１の実施の形態においては、小切手入金部制御部３３が収納処理手順ＲＴ２（図８）を実行することにより、エスクロ部４６に未返却の小切手ＣＫが残っているか否かを判断する場合について述べた。しかしながら本発明はこれに限らず、例えば小切手入金部上位プログラム２４や制御部７において収納処理手順ＲＴ２の少なくとも一部を実行することにより、判断しても良い。この場合、小切手入金部上位プログラム２４又は制御部７では、例えば搬送先リストＬ１を予め小切手入金部制御部３３から取得しておき、また最新の枚数カウンタの値を逐次取得して、両者を用いて判断すれば良い。第２の実施の形態についても同様である。
【０１１７】
さらに上述した第１の実施の形態においては、シーケンスＳＱ６（図４）の収納処理（図８）において返却すべき全ての小切手ＣＫをエスクロ部４６からバンドル部４１へ搬送し終えた段階で次処理可能通知を制御部７へ通知し、その後のシーケンスＳＱ７及びＳＱ８において顧客に小切手ＣＫを返却する場合について述べた。しかしながら本発明はこれに限らず、例えばシーケンスＳＱ８において顧客に小切手ＣＫを返却し終えた段階で、次処理可能通知を制御部７へ通知しても良い。第２の実施の形態についても同様である。
【０１１８】
さらに上述した第１の実施の形態においては、シーケンスＳＱ５及びＳＱ６（図４）において、表示操作部１１に入金確認画面を表示して小切手ＣＫを読み取った結果等を顧客に確認させ、該顧客の確認操作を受けてから収納処理を開始する場合について述べた。しかしながら本発明はこれに限らず、例えばシーケンスＳＱ４において入金計数処理が終了すると、顧客から確認操作を受け付けることなく、直ちにシーケンスＳＱ６の収納処理を開始しても良い。第２の実施の形態についても同様である。
【０１１９】
さらに上述した第１の実施の形態においては、収納処理（図８）において、エスクロ部４６から全ての小切手ＣＫを繰り出した後に収納完了通知を制御部７へ送信することにより、小切手入金部１４において収納処理が完了したことを該制御部７が把握する場合について述べた。しかしながら本発明はこれに限らず、例えば小切手入金部１４から送信される種々の情報を基に、制御部７において収納処理が完了したことを把握しても良い。具体的には、例えばエスクロ部４６に保留されている小切手ＣＫの全枚数を制御部７に通知した上で、エスクロ部４６から繰り出された各小切手ＣＫをスキャナ部４５により再び読み取り、得られた読取結果をその都度制御部７へ送信し、該制御部７において計数した読取結果の数を全枚数と比較すれば良い。第２の実施の形態についても同様である。
【０１２０】
さらに上述した第１の実施の形態においては、収納処理において顧客に返却する小切手ＣＫをエスクロ部４６から分離部４２まで搬送した後、該分離部４２からバンドル部４１の束搬送路ＷＢへ放出して集積し、束小切手ＣＫＢの状態としてから顧客に返却する場合について述べた。しかしながら本発明はこれに限らず、例えば収納処理において顧客に返却する小切手ＣＫをバンドル部４１の束搬送路ＷＢへ放出する度に、該小切手ＣＫを１枚ずつ顧客に返却しても良い。第２の実施の形態についても同様である。
【０１２１】
さらに上述した第１の実施の形態においては、顧客との間で小切手ＣＫの入金取引を行う小切手入金部１４に本発明を適用する場合について述べた。しかしながら本発明はこれに限らず、例えば種々の証券や金券、或いは商品券等、種々の媒体を顧客に投入させて取引する種々の媒体処理装置に適用しても良い。第２の実施の形態についても同様である。
【０１２２】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１２３】
さらに上述した実施の形態においては、受渡部としてのバンドル部４１と、搬送部としてのアライナ部４３と、読取部としてのスキャナ部４５と、一時保留部としてのエスクロ部４６と、収納部としての第１スタッカ部５０Ａ及び第２スタッカ部５０Ｂと、制御部としての小切手入金部制御部３３とによって媒体処理装置としての小切手入金部１４を構成する場合について述べた。しかしながら本発明はこれに限らず、その他種々の構成でなる受渡部と、搬送部と、読取部と、一時保留部と、収納部と、制御部とによって媒体処理装置を構成しても良い。
【産業上の利用可能性】
【０１２４】
本発明は、例えば顧客との間で小切手の入金取引をおこなう自動取引装置の小切手入金部でも利用できる。
【符号の説明】
【０１２５】
１、１０１……自動取引装置、７、１０７……制御部、１１……表示操作部、１４、１１４……小切手入金部、２１……表示操作部上位プログラム、２４、１２４……小切手入金部上位プログラム、３３、１３３……小切手入金部制御部、３３Ｍ……記憶部、４１……バンドル部、４１Ｓ……シャッタ、４２……分離部、４３……アライナ部、４４……第１切替部、４５……スキャナ部、４６……エスクロ部、５０……スタッカ部、５０Ａ……第１スタッカ部、５０Ｂ……第２スタッカ部、ＣＫ……小切手、ＣＫＢ……束小切手、Ｌ１、Ｌ２……搬送先リスト、ＷＢ……束搬送路。
【図１】
2019133583.tif 000003
【図２】
2019133583.tif 000004
【図３】
2019133583.tif 000005
【図４】
2019133583.tif 000006
【図５】
2019133583.tif 000007
【図６】
2019133583.tif 000008
【図７】
2019133583.tif 000009
【図８】
2019133583.tif 000010
【図９】
2019133583.tif 000011